(57)【要約】【課題】プライバシー等の保護を図るとともに、これまでの市販品等の風量より大きな流量を確保するダクトを提供する。【解決手段】室外Ａと室内Ｂとを隔てる外壁Ｃに、円筒状に貫通するダクト１００を設ける。かかるダクト１００内には、らせん１０が設けられている。らせん１０は、らせん１０ａ、１０ｂ、１０ｃから構成さ、ダクト１００の断面内で、中心側に１２０度ずつ位相をずらして、らせん１０ａ、１０ｂ、１０ｃか開始されている。かかる構成のダクト構造では、中に設けたらせん１０により、ダクト１００内を見通すことができなくなる。一方、らせん１０により、ダクト１００内の通過風量の確保は行える。【選択図】図１
2007263468.tif 000002
【特許請求の範囲】
【請求項１】
流体を通すダクトの構造であって、
前記ダクトは、内部にらせんを有することを特徴とするダクト構造。
【請求項２】
請求項１記載のダクト構造において、
前記らせんは、複数のらせんからなる多重らせんに構成されていることを特徴とするダクト構造。
【請求項３】
請求項２記載のダクト構造であって、
前記多重らせんは、ダクトの同一断面内で、らせん開始位置が位相をずらして設けられた複数のらせんからなることを特徴とするダクト構造。
【請求項４】
請求項３記載のダクト構造であって、
前記多重らせんは、ダクトの同一断面内でらせん開始位置が位相をずらして設けられた３個の独立したらせんからなる３重らせんであることを特徴とするダクト構造。
【請求項５】
請求項２記載のダクト構造であって、
前記多重らせんは、ダクトの軸方向に沿った異なる断面で、らせん開始位置がずらして設けられた複数のらせんからなることを特徴とするダクト構造。
【請求項６】
請求項５記載のダクト構造であって、
前記多重らせんは、ダクトの軸方向に沿った異なる断面のそれぞれで、らせん開始位置がずらして設けられた３個のらせんからなる３重多連装らせんであることを特徴とするダクト構造。
【請求項７】
請求項１〜６のいずれか１項に記載のダクト構造において、
前記らせんは、らせん開始から、らせん終了までの間が、複数に分節されていることを特徴とするダクト構造。
【請求項８】
請求項１〜７のいずれか１項に記載のダクト構造において、
前記ダクトは、建物の内外を隔てる外壁を貫通して設けられていることを特徴とするダクト構造。
【請求項９】
請求項１〜８のいずれか１項に記載のダクト構造において、
前記らせんは、脱着可能に前記ダクト内に設けられていることを特徴とするダクト構造。
【発明の詳細な説明】
【技術分野】
【０００１】
本発明は換気技術に関し、特にダクト内にらせん構造を設けることで目隠し構造を確保しながら換気機能を向上させるのに適用して有効な技術である。
【背景技術】
【０００２】
従来、室内側換気口には、通常、流量調節機能付きの換気口が設けられている。かかる換気口には、流量調節機能の他に、防護機能、プライバシー確保機能、防風機能、防雨水機能等が一緒に設けられている。
【０００３】
また、換気孔自体に消音効果を発揮できるように構成したものも提案されている。外壁等に貫通して設けられた換気孔内に、複数枚の遮音弁をずらして配置することで、遮音効果を得られるようにしたものである。併せて、換気量も確保しようとした構成である。
【０００４】
しかし、換気に際しては、風が遮音弁の間を屈曲するように通過するため、通過抵抗がどうしても大きくなり、所定量の換気量を確保する場合には換気孔の孔径を大きくする必要があった。併せて、消音効果でも、音域の広域に対応することはできなかった。
【０００５】
そこで、特許文献１には、遮音弁を設けることなく、換気孔に取り付けるスリーブ内に、高周波消音部と低周波消音部とを二重筒状に設けて、遮音効果の音域拡大と、換気量の確保とを図る構成が提案されている。
【特許文献１】特開２００３−１３０４１０号公報
【発明の開示】
【発明が解決しようとする課題】
【０００６】
近年、マンション等の集合住宅では、給気ダクトを無くして、換気口からレンジフードの排気に見合う給気を確保する構成が採用されている。かかる構成を採用することで、建設コストの低減を図っている。
【０００７】
しかし、かかる構成では、往々にして窓を閉め切った状態でレンジフードを運転し、その結果、大きな室内外の差圧が発生して玄関扉等が開きにくくなる現象が発生している。各居室の室内側換気口を閉めた状態で、レンジフードを強にして運転すると、室内外差圧は１００Ｐａ以上になると言われている。一方、室内側の換気口を開けた状態でも、室内外差圧は約８０Ｐａとなることが報告されている。
【０００８】
そこで、本発明者は、換気口からの風量を如何に大きくするかの技術が必要と考えた。レンジフード等の使用に際して発生する室内外差圧の影響により扉等が開きにくくなる点について、早急に対策する必要があると考えた。
【０００９】
しかし、かかる対策に際しては、別途給気ダクトのようなものを併置する構成では、建設コスト削減の目的でなされた本来の構成に意味がなくなる。既存の構成を生かして、その解決を図る必要があると考えた。
【００１０】
そこで、本発明者は、先ず、市販の換気口を種々検討した。その結果、意外にも、市販の換気口では、多数の機能が付け加えられ、その分風量が抑えられていることが分かった。一見しただけでは、大変に便利にできているように思われるが、しかし、換気口本来の室外からの風の通りは、かかる多機能性を追求する余り、逆に著しく阻害されているのが現状であった。
【００１１】
流量調節機能や防護機能等を達成するために、空気の流路内に付属機器が設けられ、そのために空気が流れる際の抵抗が大きくなり、その分、流量が減ずるのである。かかる流量不足を補う対策としては、例えば、一つの居室に複数個の換気口を設けて、流量の確保を行うことが考えられる。しかし、室外の空気を取り入れるために、いくつも換気口を設けることは、居住性、デザイン性等の観点からは、余り勧められる対策ではない。
【００１２】
風量を十分に確保するだけなら、ダクトはずんどうのままが良い。しかし、これでは換気口を通して建物内が見通すことができ、プライバシーの問題、果ては防犯上も大きな問題を抱えることとなる。一方、プライバシー、あるいは防犯上のことを主に考えれば、風量確保をあまり追求することなくダクト内を極力塞ぐようにすれば良いことにもなる。
【００１３】
このようにダクトには相拮抗する問題を共に解決することが求められるが、しかし、両方を満足する形で解決する方法が見つからず、従来は、結果的には風量確保の方にしわ寄せがなされていた。
【００１４】
特許文献１に提案の構成でも、スリーブ内にドーナツ状をした高周波消音部を二重筒状に設けているため、どうしても十分な風量確保が行えないのが現状である。
【００１５】
本発明の目的は、プライバシー等の保護を図るとともに、これまでの市販品等の風量より大きな流量を確保することにある。
【００１６】
本発明の前記ならびにその他の目的と新規な特徴は、本明細書の記述および添付図面から明らかになるであろう。
【課題を解決するための手段】
【００１７】
上記課題に鑑み、本発明者は種々考えを巡らした結果、ある事実に気がついた。すなわち、ダクト内を見通せないように塞ぐには、一つの断面で塞ぐのではなく、複数箇所の断面で少しずつ塞ぐことで、全体を見通せなくすることができるのではないかと発想した。
このように構成すれば、一カ所の断面で全部を塞ぐのではなく、複数の断面箇所で少しずつ塞ぐ箇所をずらしているので、塞がれていない箇所を通じて空気は流れ込む筈であると考えた。
【００１８】
かかる構成を採用した試作品を制作し、その結果を確かめた。かかる構成を採用することで、ダクトの内部を少しずつずらして塞いで最終的には全面を塞ぐことになり、ダクトを通じて室内等が見通せるプライバシーの問題は確かに解消させられることとなる。併せて、風もダクト内を通過することができ、その風量はダクト内の塞ぎ方で向上させられることも判明した。本発明は、かかる発想の元になされた試作品の実験事実に基づきなされたものである。
【００１９】
すなわち、本発明は流体を通すダクトの構造であって、前記ダクトは、内部にらせんを有することを特徴とする。かかる構成において、前記らせんは、複数のらせんからなる多重らせんに構成されていることを特徴とする。かかる構成において、前記多重らせんは、ダクトの同一断面内で、らせん開始位置が位相をずらして設けられた複数のらせんからなることを特徴とする。例えば、前記多重らせんは、ダクトの同一断面内でらせん開始位置が位相をずらして設けられた３個の独立したらせんからなる３重らせんであることを特徴とする。
【００２０】
前記構成において、前記多重らせんは、ダクトの軸方向に沿った異なる断面で、らせん開始位置がずらして設けられた複数のらせんからなることを特徴とする。例えば、前記多重らせんは、ダクトの軸方向に沿った異なる断面のそれぞれで、らせん開始位置がずらして設けられた３個のらせんからなる３重多連装らせん、すなわち軸方向に３重らせんを複数組み合わせた多連装式に構成されていることを特徴とする。ダクト構造。
【００２１】
以上いずれかの構成において、前記らせんは、らせん開始から、らせん終了までの間が、複数に分節されていることを特徴とする。以上いずれかの構成において、前記ダクトは、建物の内外を隔てる外壁を貫通して設けられていることを特徴とする。以上いずれかの構成において、前記らせんは、脱着可能に前記ダクト内に設けられていることを特徴とする。
【発明の効果】
【００２２】
本願において開示される発明のうち、代表的なものによって得られる効果を簡単に説明すれば以下のとおりである。
【００２３】
本発明では、ダクト内部にらせんが設けられているので、かかるらせんがダクトを見通す際の目隠しとなり、且つ、風量も十分に確保することができる。
【発明を実施するための最良の形態】
【００２４】
以下、本発明の実施の形態を図面に基づいて詳細に説明する。尚、実施の形態を説明するための全図において、同一の部材には原則として同一の符号を付し、その繰り返しの説明は省略する場合がある。
【００２５】
本発明は、ダクト内部にらせんを設けた構成を有している。かかる構成を採用することで、風量の確保を図りつつ、ダクトを通しての見通しを遮ることができるものである。内部に設けたらせんが、例えば室内等を目隠しする役目を果たし、プライバシーの確保が図れるのである。
【００２６】
本発明の適用は、例えば、建物の外壁に設けられた換気口等で使用される所謂ダクトが対象である。しかし、本発明の適用は、かかる建物の壁に設けられる場合以外にも、例えば、船舶、航空機、宇宙船、自動車、鉄道の車両等の乗り物等に設けられる場合でも一向に構わない。空間を区画する仕切り等に設けられ、区画された空間の通気孔等に広く適用することができるものである。ダクトと言う名称にこだわる必要はなく、例えば通気孔、あるいは通風孔等と、実質的にダクトと同様に機能し、その内部にらせんを設けることで本発明の効果が発揮できるものであれば、本発明に言うダクトの範疇に入るものである。
【００２７】
（実施の形態１）
図１は、本発明の３重らせん構造のダクト構造を模式的に示した説明図である。図２は本発明の３重らせん構造の正面側からの様子を模式的に示す説明図である。図３はらせんブロックの接続状況を模式的に示す部分斜視図である。図４はらせんブロックの接続状況の変形例を模式的に示す部分斜視図である。図５（ａ）、（ｂ）、（ｃ）は、らせんブロックの厚さを検討する際の構成を模式的に示した説明図である。図６（ａ）、（ｂ）は、らせんブロックの厚みによる風量係数への影響結果を示す説明図である。図７（ａ）、（ｂ）は、本発明の風量係数の実験に使用した施設概要を示す説明図である。図８（ａ）、（ｂ）は、本発明の風量係数の実験に使用した施設概要を示す説明図である。図９（ａ）、（ｂ）は、らせんブロックの分割数を検討する際の構成を模式的に示した説明図である。図１０（ａ）、（ｂ）は、らせんブロックの分割数による風量係数への影響結果を示す説明図である。図１１（ａ）〜（ｅ）は、らせん形状を検討する際の構成を模式的に示す説明図である。図１２はらせん形状の風量係数への影響結果を示す説明図である。
【００２８】
因みに、風量係数αＡは、次の式により求めることができ、ダクト内を通過する際のダクト実効面積、あるいは実効面積相当の相当開口面積における通過量の目安となるものである。
【００２９】
ダクト１００は、図１に示すように、建物の室外Ａと室内Ｂとを区画する外壁Ｃを、円筒状に貫通して設けられている。図１に示す場合には、ダクト孔径は、例えばφ＝１０５ｍｍに設定されている。かるダクト１００内に、らせん１０が設けられたダクト構造に構成されている。また、室外Ａ側のダクト１００の正面側には、防虫ネット１１０が設けられている。
【００３０】
尚、ダクト孔径は、上記例示の場合には１０５ｍｍに設定したが、かかる１０５ｍｍに限定する必要はない。
【００３１】
ダクト構造を構成するらせん１０は、本実施の形態では、らせん１０ａ、１０ｂ、１０ｃが組み合わされた、３重の多重らせんに構成されている。かかる３重らせんは、図２の正面図に示すように、ダクト１００の同一断面内で、ダクト中心側に対してθ＝１２０度ずつそれぞれ位相をずらして、らせん１０ａ、１０ｂ、１０ｃのらせん開始が設定されている。
【００３２】
らせん１０は、図２に示すように、略扇形をした複数のらせんブロック１１、１２、１３、１４、１５、１６がそれぞれらせん状に接続され、らせんブロックに付した丸付きの番号が大きくなるにしたがって紙面奥に配置されている。
【００３３】
例えば、かかる構成のらせん１０では、らせんブロック１２はらせんブロック１１より紙面に向かって奥に配置され、らせんブロック１３はらせんブロック１２より紙面に向かって奥に配置されている。他のらせんブロック１４、１５、１６の位置関係もすべて同様である。
【００３４】
また、かかる扇形のらせんブロック１１、１２、１３、１４、１５、１６は、図２の正面側から見た場合には、その頂点側があたかも小円を描くようにそれぞれ配置されている。
【００３５】
尚、かかる様子を、図２では、矢印で示した。矢印が細くなるに従って、紙面奥に向かっていることを示している。
【００３６】
一方、らせん１０は、図２に示すように、らせんブロック１１かららせんが開始され、らせんブロック１６でらせんが終了している。かかる最後のらせんブロック１６は、正面側から見た場合には、図２に示すように、らせんブロック１１の背後すなわち後方に、らせんブロック１６の一部が隠れるように配置されている。
【００３７】
このように３重らせん等の多重らせんの最後のらせんブロック１６が、らせん開始のらせんブロック１１の背後に隠れるように配置することで、らせん１０部分を通してダクト１００内を見通すことはできないように構成されている。
【００３８】
併せて、図示はしないが、らせんブロック１１、１２、１３、１４、１５、１６の頂点で形成されたダクト中心側の小円部分は、外部からこの部分を通して見通せないようにこの小円部分を覆うカバーが設けられている。因に、小円部分は、ダクト直径の１０％以下になるように構成するのが好ましい。
【００３９】
尚、図２では、隣接するらせんブロック同士が、らせん状に接続されている様子を示すために、敢えてその隣接箇所に斜線でらせん接続部Ｘを表示した。
【００４０】
かかる構成のらせん１０を有するダクト構造では、図１に示すように、室外Ａ側から、ダクト１００内のらせん１０（１０ａ、１０ｂ、１０ｃ）を通して、空気が室内Ｂ側に給気されることとなる。併せて、らせん１０により室内Ｂ側を目隠ししてプライバシーの保護をも図っている。
【００４１】
らせん１０は、ダクト１００内に設けるに際しては、脱着可能に設けられている。らせん１０は、図２に示すように、ダクト１００内の孔径に丁度嵌まるように構成された筒状部材２０の内側に構成されている。すなわち、らせん１０を構成するらせんブロック１１、１２、１３、１４、１５、１６は、扇形の円弧部分が、筒状部材２０の内周面側に、らせん状に並べられて固着されている。
【００４２】
すなわち、図３に部分的に示すように、らせんブロック１１、１２、１３、１４、１５、１６が、らせんブロック１１、１２、１３、１４、１５、１６の円弧に形成された周縁１１ａ、１２ａ、１３ａ、１４ａ、１５ａ、１６ａ側がらせんを描くように接続されている。かかる接続では、らせんブロック１１、１２、１３、１４、１５、１６の隣接部分の接続部Ｘには隙間が形成されることとなる。
【００４３】
尚、図３に示す場合には、接続の様子を分かりやすくするために、らせんブロック１１、１２、１３までしか描かれていないが、らせんブロック１４、１５、１６も、らせんブロック１１、１２、１３と同様に接続されている。
【００４４】
また、らせんブロック１１、１２、１３、１４、１５、１６の隣接するらせんブロック間の接続部分Ｘに形成される隙間については、図４に示すように、隙間を無くすように接続しても一向に構わない。
【００４５】
本発明者の実験では、かかる隣接するらせんブロックの隙間に関しては、風量係数に及ぼす影響は小さく、隙間は有っても無くても大差がないことが実験結果から確認されている。
【００４６】
また、らせん１０を上記のように一旦筒状部材２０に作り込んでいるので、ダクト１００内にらせん１０を設けるに際しては、ダクト１００内部に筒状部材２０を挿入することで施工を簡単にすませることができる。ダクト１００を交換することなく、ダクト１００内にらせん１０を容易に設置できるのである。
【００４７】
さらに、かかる構成を採用することで、既設のダクト内にも、筒状部材２０の孔径を既設のダクト孔径に合わせて形成さえすれば、その対応を極めて容易に行うことができる。敢えて、既設のダクトを交換する必要がないのである。
【００４８】
勿論、らせんブロック１１等をダクト１００の内周面側に固着する構成で、ダクト１００にらせん１０を作り込む方法でも構わない。しかし、機能的には、ダクト１００を交換することなく、ダクト１００内のらせん１０の構造部分を交換できる本実施の形態で採用した筒状部材２０にらせん１０を作り込む方が好ましい。
【００４９】
また、らせん１０をダクト１００内に脱着可能に設ける構成については、本実施の形態で述べた筒状部材２０を用いる構成以外の構成であっても構わないことは言うまでもない。
【００５０】
かかるらせん１０は、例えばウレタン等の吸音材で形成すればよい。かかる吸音材を用いて形成すれば、風がダクト１００内を通過する際の音、あるいは外部の騒音を室内側で有効に低減させることができる。かかる構成のらせん１０は、軽い構成となり、ダクト１００内に取り付け易くする面でも有効である。
【００５１】
勿論、吸音性を重視しない場合には、ウレタン以外の素材、例えば、金属、プラスチック等を用いてらせん１０を構成しても構わないことは言うまでもない。
【００５２】
本実施の形態で述べた３重らせんの構成については、ダクト１００内に設けるらせん構造についての種々の検討結果から導きだされたものである。
【００５３】
すなわち、ダクト１００内に設けるらせんブロック１７の厚さについて、先ず検討した。図５（ａ）、（ｂ）、（ｃ）には、らせんブロック１７の厚さを、それぞれ２５ｍｍ、１２．５ｍｍ、５ｍｍに設定した場合のダクト１００内の様子を模式的に示したものである。ダクト１００は、全て１０５ｍｍの円筒状に形成されている。
【００５４】
また、らせん構造としては、１個のらせん１０ｄを用いた。図５（ａ）に示す場合には、９個のらせんブロック１７を、図５（ｂ）に示す場合には１１個のらせんブロック１７を、図５（ｃ）に示す場合には１２個のらせんブロック１７をそれぞれ使用して、らせん１０ｄを構成した場合を示す。
【００５５】
かかる状況下、ダクト１００内を流れる風の風量係数を測定した。測定の結果は、図６（ａ）に示すように、らせんブロック１７は厚い方が、風量係数、すなわち流量は上がることが分かった。らせんブロック１７が２５ｍｍの場合には風量係数は１９であり、らせんブロック１７が１２．５ｍｍ、５ｍｍの場合よりも大きいことが確認された。かかる状況を、図６（ｂ）に棒グラフとして示し、その差が明瞭に分かるようにした。
【００５６】
かかる風量係数の測定は、実物大のモデルルームを用いた実験に基づきなされたものである。実験では、図７（ａ）、（ｂ）に示すように、ワンルームマンションを模した略直方体のモデルルーム内にレンジフードを設け、このレンジフードに排気ダクトとしてのビニールチューブを繋げ、このビニールチューブにオリフィス、差圧計に構成した流量計を設けて測定した。
【００５７】
かかるモデルルーム内には、図８（ａ）、（ｂ）に示すように、換気口が設けられ、風量係数の測定に用いる換気ダクトは室内側壁面に形成されている。換気ダクトの位置、個数、口径は、実際のあるマンションにおけるダクトの数に合わせて行い、極力実際の状況に適った条件下での実験を行うようにした。
【００５８】
例えば、図８（ａ）に示す場合には、φ１０５ｍｍのダクトが３個、φ１５０ｍｍのダクトが１個、壁の厚さ２００ｍｍとして実験を行った。実験では、図５（ａ）〜（ｃ）に示すように、室外と室内を隔てる壁に換気用のダクト１００を形成し、かかる換気ダクト１００を通過する風量係数を測定した。
【００５９】
以下、風量係数の測定に際しては、図７、８に示す実物大の実験施設を用いて、上記と同様の手法で行った。
【００６０】
因みに、風量係数αＡは、次の式により求めることができる。
【００６１】
【数１】
2007263468.tif 000003
【００６２】
一方、らせんブロック１７を、矩形に形成した場合には、らせんの形状が階段状になる。かかる階段状の接続構成では、空気が流れる際にその部分での抵抗が大きくなり、風量係数に影響を及ぼすことが想定された。そこで、らせんブロック１７を１／２にハーフカットして、らせん１周を図９（ａ）に示す８分割から、図９（ｂ）に示す１６分割に構成した。
【００６３】
図１０（ａ）の説明図に示すように、１６分割に構成した図９（ｂ）に示す構成の方が、風量係数が、２０から２９に増加することが確認された。かかる結果は、図１０（ｂ）に示すように、棒グラフとして示すと明瞭に分かる。
【００６４】
さらに、らせん形状についても検討した。図１１（ａ）では、らせんが通常の１個のらせん（１重らせん）から構成されている場合を示す。図１１（ｂ）、（ｃ）、（ｄ）は、らせんをそれぞれ２重らせん、３重らせん、４重らせんの多重らせんに構成した場合を示した。図１１（ｅ）に示す場合には、らせんが、３重らせんをダクト１００内の異なる断面でそれぞれ形成された多連装構造とした場合を示している。すなわち、３重らせん＋３重らせんの２連装構成となっているのである。
【００６５】
図１２の説明図に示すように、らせん形状による風量係数への影響は、実験からは、殆ど無いものと結論された。
【００６６】
但し、１重らせん、２重らせんの場合には、ダクト１００の室内Ｂ側での給気は、基本的に風が一方向、あるいは二方向から入り、風の偏りが強く感じられた。三方向、四方向の場合には、風の偏りは気にならず、平均して風が流入していると感じられる。３重らせんを２つ組み合わせた図１１（ｅ）に示す構成も、流入する風の偏りは感じられなかった。
【００６７】
そこで、図５〜１２にわたっての上記検討から、より好ましいらせん構造としては、らせんブロックは２５ｍｍ以上で、１周の分割数は１６分割以上で、且つ３重以上の多重らせん構造が良いものと判断した。本実施の形態では、かかる好ましいらせん構造の内、３重の多重らせん構造を示したものである。
【００６８】
（実施の形態２）
図１３は、本発明の３重らせんの多連装式の構成のらせんを内装したダクト構造を模式的に示した説明図である。図１４は本発明の３重らせんの多連装構造の正面側からの様子を模式的に示す説明図である。図１５は図１４に示す構成の平面的に展開した様子を模式的に示す説明図である。図１６（ａ）、（ｂ）は、図１５に示す説明図の矢視１、２の視点でみた様子を模式的に示す立面図である。図１７（ａ）、（ｂ）は、図１５に示す説明図の矢視３、４の視点でみた様子を模式的に示す立面図である。図１８（ａ）は３重の多連装式らせん構造の構成と、（ｂ）、（ｃ）は（ａ）の構成と風量係数の比較を行う市販品の構成とを、それぞれ模式的に示す説明図である。図１９（ａ）、（ｂ）は、３重の多連装構造のらせんと、市販品の構成との風量係数の比較結果を示す説明図である。
【００６９】
本実施の形態では、３重らせんを直列に２個接続したような多連装式の構造のらせんをダクト１００内に設けたダクト構造について説明する。
【００７０】
本実施の形態におけるダクト１００は、図１３に示すように、前記実施の形態１の図１で説明したと同様に構成されている。すなわち、室外Ａと室内Ｂとを隔てる外壁Ｃに、円筒状に貫通したダクト１００は設けられている。かかるダクト１００内に、前記実施の形態と同様に筒状部材２０に設けたらせん構造が挿入されて、ダクト構造が構成されている。
【００７１】
らせん構造は、図１４に示すように、筒状部材２０内の内側に、らせん１０、３０が設けられて構成されている。らせん１０と、らせん３０とは、そのらせん開始が異なる断面で形成されている。らせん１０が構成される断面は、らせん３０が構成される断面よりも紙面手前に設定されている。らせん３０を構成する断面の方が、ダクト１００の貫通方向に沿って紙面奥側にずれて構成されているのである。
【００７２】
かかるらせん１０は、らせん１０ａ、１０ｂ、１０ｃから構成されている。ダクト１００の中心側に対して、１２０度ずつ位相をずらして、らせん１０ａ、１０ｂ、１０ｃが右巻き状態で設けられている。らせんの巻き方向は、らせん１０、３０が同一方向に巻かれていれば、右側でも、左側でも構わない。
【００７３】
らせん１０ａ、１０ｂ、１０ｃは、それぞれらせんブロック１１、１２、１３、１４から構成され、らせん開始がらせんブロック１１から始まり、らせん終了がらせんブロック１４で終わっている。らせん１０ａ、１０ｂ、１０ｃのらせんブロック１３が設けられた断面内で、らせん３０（３０ａ、３０ｂ、３０ｃ）が開始されている。
【００７４】
らせん３０ａ、３０ｂ、３０ｃは、それぞれ、らせんブロック３１、３２、３３から構成され、らせん開始がらせんブロック３１により、らせん終了がらせんブロック３３から構成されている。すなわち、らせんブロック１３が設けられた断面では、らせん１０ａ、１０ｂ、１０ｃの３個のらせんブロック１３と、らせん３０ａ、３０ｂ、３０ｃの３個のらせんブロック３１が位相をずらして、同一断面内の筒状部材２０の内周縁側に等間隔離されて設けられているのである。
【００７５】
尚、らせんブロック１１、１２、１３、１４、及びらせんブロック３１、３２、３３では、らせんブロックに付された数字（丸付きの数字も含め）が大きくなるにつれて、紙面の奥側に配置されている。図１４では、らせんブロック３２は一部らせんブロック１１の背後に、らせんブロック３３はその全部がらせんブロック１１等の背後に隠れている。
【００７６】
かかる様子を、平面的に展開した様子を図１５に示した。図１５に示す場合は、円筒状部材２０を筒方向に沿って切断して開いた様子を示している。念のため、寸法構成も一例として記載しておく。
【００７７】
また、図１５の矢視１、２、３、４からそれぞれ見た立面的構成の様子を図１６（ａ）、（ｂ）、図１７（ａ）、（ｂ）にそれぞれ示した。図１５、図１６（ａ）、（ｂ）、図１７（ａ）、（ｂ）では、らせん１０（１０ａ、１０ｂ、１０ｃ）を構成するらせんブロック１１、１２、１３、１４、らせん３０（３０ａ、３０ｂ、３０ｃ）を構成するらせんブロック３１、３２、３３をそれぞれ示した。
【００７８】
異なるらせん形状に関しての風量係数は、前記の図１０に示すように、殆ど変化はなかった。一方、換気口としての実用性を考慮すれば、ダクト１００を通過してきた給気風の吹き出し均一性が要求される。また、換気ダクトの長さを考慮した場合、３重らせん構造が、ダクト１００の軸方向に沿って異なった断面で設けられた多連装式が好ましいとも言える。そこで、本実施の形態では、３重多連装式のらせん構造を示した。
【００７９】
かかる３重多連装式のらせん構造の風量係数を、図１８に示すようにして、外部に市販のガラリを設けた場合と比較した。図１８（ａ）は３重多連装式の本実施の形態のダクト構造を示し、図１８（ｂ）、（ｃ）には市販のガラリを設けた構成を示した。
【００８０】
図１９（ａ）に示すように、本実施の形態の３重多連装らせんの構造の方が風量係数３０を示し、市販のガラリを設けた場合の風量係数の１６、２２より大きいことが分かった。因に、図１９（ｂ）は、図１９（ａ）の結果を分かり易いように棒グラフとして示したものである。
【００８１】
（実施の形態３）
本実施の形態では、多重らせん構造として、４重らせん構造を採用した場合について説明する。
【００８２】
かかる構成のダクト構造は、前記実施の形態１と同様に、図２０に示すように、建物の室外Ａと室内Ｂとを隔てる外壁Ｃを貫通するダクト１００内に、４重らせんが設けられたものである。かかる構成の４重らせん４０は、らせん４０ａ、４０ｂ、４０ｃ、４０ｄから構成されている。
【００８３】
らせん４０ａ、４０ｂ、４０ｃ、４０ｄは、ダクト１００内の同一断面内に、らせんブロック４１が、ダクト中心側に９０度ずつ位相をずらして、らせんが開始されている。
また、らせんブロック４２、４３、４４、４５は、図２１に示すように、漸次ダクト１００の奥側に配置され、らせんを形成している。但し、らせんブロック４５は、らせんブロック４１の背後にかくれて、図２１の正面側からは見えない。
【００８４】
また、らせんブロック４１、４２、４３、４４、４５の扇形の頂点側は、ダクト中心側に小円を描くように集められ、かかる小円部分は、図示はしないが、小円カバー等が設けられ、ダクト１００内を見通せないようになっている。
【００８５】
かかる構成の４重らせんがダクト１００内に設けられた構成でも、市販品よりも約２倍の風量確保が行え、且つ、室内側のプライバシー保護も行えることが確認できた。
【００８６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００８７】
前記実施の形態では、らせんブロックの周縁をらせんを形成するように接続する構成を示したが、かかるらせんブロックの接続構成を、一枚の薄い板に構成して、らせん構造を構成しても一向に構わない。
【００８８】
また、らせんの巻き数に関しても、らせん終了のらせんブロックがらせん開始のらせんブロックに隠れる範囲までとしたが、ダクト内に納まる範囲で、それ以上にらせんブロックを接続してらせん構造を延長するようにしても一向に構わない。
【００８９】
多連装の例として、３重らせんの場合を示したが、４重らせん以上の構成で、かかる多連装形式を構成しても構わない。また、上記実施の形態では、３重の多連装形式では、３重らせんを２個繋いだ構成を示したが、３個以上を繋ぐ構成であっても構わない。
【００９０】
また、前記実施の形態では、より良い構成として３重らせん構造のものを例に挙げて説明したが、場合によっては、風の吹き出し方向等は無関係とか、あるいは方向性を持たせた方が良い等の場合も考えられ、その場合には、一重らせん、二重らせん等を敢えて選択使用しても一向に構わない。
【００９１】
前記実施の形態では、らせんブロックをらせん状になるように接続するに当り、中心側にらせんブロックの頂点が小円が形成されるように接続した場合を例に挙げて説明したが、頂点部分を中心部に集まるように構成してもよい。かかる構成を採用すれば、小円カバーのようなものを設ける必要がなくなる。
【産業上の利用可能性】
【００９２】
本発明は、換気孔等の壁等に貫通して設けるダクトの分野で有効に利用することができる。
【図面の簡単な説明】
【００９３】
【図１】本発明の３重らせん構造のダクト構造を模式的に示した説明図である。
【図２】本発明の３重らせん構造の正面側からの様子を模式的に示す説明図である。
【図３】らせんブロックの接続状況を模式的に示す部分斜視図である。
【図４】らせんブロックの接続状況の変形例を模式的に示す部分斜視図である。
【図５】（ａ）、（ｂ）、（ｃ）は、らせんブロックの厚さを検討する際の構成を模式的に示した説明図である。
【図６】（ａ）、（ｂ）は、らせんブロックの厚みによる風量係数への影響結果を示す説明図である。
【図７】（ａ）、（ｂ）は、本発明の風量係数の実験に使用した施設概要を示す説明図である。
【図８】ａ）、（ｂ）は、本発明の風量係数の実験に使用した施設概要を示す説明図である。
【図９】（ａ）、（ｂ）は、らせんブロックの分割数を検討する際の構成を模式的に示した説明図である。
【図１０】（ａ）、（ｂ）は、らせんブロックの分割数による風量係数への影響結果を示す説明図である。
【図１１】（ａ）〜（ｅ）は、らせん形状を検討する際の構成を模式的に示す説明図である。
【図１２】らせん形状の風量係数への影響結果を示す説明図である。
【図１３】本発明の３重らせんを多連装形式に組み込んだダクト構造を模式的に示す説明図である。
【図１４】本発明の３重らせんの多連装構造の正面側からの様子を模式的に示す説明図である。
【図１５】図１４に示す構成の平面的に展開した様子を模式的に示す説明図である。
【図１６】（ａ）、（ｂ）は、図１５に示す説明図の矢視１、２の視点でみた様子を模式的に示す立面図である。
【図１７】（ａ）、（ｂ）は、図１５に示す説明図の矢視３、４の視点でみた様子を模式的に示す立面図である。
【図１８】（ａ）は３重の多連装式らせん構造の構成と、（ｂ）、（ｃ）は（ａ）の構成と風量係数の比較を行う市販品の構成とを、それぞれ模式的に示す説明図である。
【図１９】（ａ）、（ｂ）は、３重の多連装構造のらせんと、市販品の構成との風量係数の比較結果を示す説明図である。
【図２０】本発明の４重らせん構造のダクト構造を模式的に示した説明図である。
【図２１】本発明の４重らせん構造の正面側からの様子を模式的に示す説明図である。
【符号の説明】
【００９４】
１０    らせん
１０ａ  らせん
１０ｂ  らせん
１０ｃ  らせん
１０ｄ  らせん
１１    らせんブロック
１１ａ  周縁
１２    らせんブロック
１２ａ  周縁
１３    らせんブロック
１３ａ  周縁
１４    らせんブロック
１４ａ  周縁
１５    らせんブロック
１５ａ  周縁
１６    らせんブロック
１６ａ  周縁
１７    らせんブロック
２０    筒状部材
３０    らせん
３１    らせんブロック
３２    らせんブロック
３３    らせんブロック
３４    らせんブロック
３５    らせんブロック
３６    らせんブロック
４０    らせん
４０ａ  らせん
４０ｂ  らせん
４０ｃ  らせん
４０ｄ  らせん
４１    らせんブロック
４２    らせんブロック
４３    らせんブロック
４４    らせんブロック
４５    らせんブロック
１００  ダクト
Ａ      室外
Ｂ      室内
Ｃ      外壁
Ｘ      接続部
【図１】
2007263468.tif 000004
【図２】
2007263468.tif 000005
【図３】
2007263468.tif 000006
【図４】
2007263468.tif 000007
【図５】
2007263468.tif 000008
【図６】
2007263468.tif 000009
【図７】
2007263468.tif 000010
【図８】
2007263468.tif 000011
【図９】
2007263468.tif 000012
【図１０】
2007263468.tif 000013
【図１１】
2007263468.tif 000014
【図１２】
2007263468.tif 000015
【図１３】
2007263468.tif 000016
【図１４】
2007263468.tif 000017
【図１５】
2007263468.tif 000018
【図１６】
2007263468.tif 000019
【図１７】
2007263468.tif 000020
【図１８】
2007263468.tif 000021
【図１９】
2007263468.tif 000022
【図２０】
2007263468.tif 000023
【図２１】
2007263468.tif 000024